(57)【要約】【課題】コーヒーカプセルを内側に収容するホルダー部とグリップ部の構造を改良して様々な構造を持つコーヒーカプセルが収容可能なコーヒーカプセル用レセプタクルを提供する。【解決手段】本発明はコーヒーメーカーの噴射部Ｎから高温の水が内側に噴射されるように噴射部に開口された上部が密着固定され、コーヒーカプセルを内蔵するためにコーヒーカプセルの外周面が内周壁に密着するように形成された収容部と噴射部からコーヒーカプセルを経て混ぜられた飲用コーヒーが下方に排出されるように収容部の底面を貫通する通孔とで構成されるホルダー部と、噴射部にホルダー部の開口された上部が密着連結されるようにホルダー部を支持・固定するグリップ部と、を含んで構成される。【選択図】図２
2012005818.tif 000002
【特許請求の範囲】
【請求項１】
コーヒーカプセルに高温の水を噴射する噴射部が具備されたコーヒーメーカーに適用されるコーヒーカプセル用レセプタクルにおいて、
前記噴射部から高温の水が内側に噴射されるように前記噴射部に開口された上部が密着固定され前記コーヒーカプセルを内蔵するために前記コーヒーカプセルの外周面が内周壁に密着するように形成された収容部と、前記噴射部から前記コーヒーカプセルを経て混ぜられた飲用コーヒーが下方に排出されるように前記収容部の底面を貫通する通孔と、前記噴射部から流入した高温の水が前記コーヒーカプセルを経て混ぜられた飲用コーヒーをフィルタリングするために前記収容部の通孔と連通する形で前記収容部の底面に密着固定される第１フィルタ部と、前記第１フィルタ部の上面に密着した状態で固着され前記コーヒーカプセルの下端面を穿孔するための穿孔針が上向きに形成されたフィルタ支持部と、で構成されるホルダー部と；
前記噴射部に前記ホルダー部の開口された上部が密着連結されるように前記ホルダー部を支持して固定するグリップ部と；
を備えることを特徴とする、コーヒーカプセル用レセプタクル。
【請求項２】
前記穿孔針によって前記コーヒーカプセルから排出する飲用コーヒーが通過するように前記フィルタ支持部には上下方を貫通する切開孔が形成されることを特徴とする、請求項１に記載のコーヒーカプセル用レセプタクル。
【請求項３】
前記切開孔に対応する前記フィルタ支持部の下部には前記飲用コーヒーに混合している異物を一次的に濾過できるように網形状の第２フィルタ部が形成されることを特徴とする、請求項２に記載のコーヒーカプセル用レセプタクル。
【請求項４】
前記収容部の中央部に形成された前記通孔から所定距離に対応する収容部は、ドーナッツ状の下向き折り曲げ部が形成され、この下向き折り曲げ部は断面が半月状をなし、前記第１フィルタ部の下面部は、前記下向き折り曲げ部の形態に対応して互いに密着するように配置されることを特徴とする、請求項３に記載のコーヒーカプセル用レセプタクル。
【請求項５】
前記グリップ部は、
前記ホルダー部が上方から内側に出入り可能に上部が開口された本体部と；
前記噴射部の隣接部位に形成されたコーヒーメーカーの継ぎ目に下方から回転しながら脱着されるように、前記本体部の開口された上部の外周面に形成された複数個の突出リブと；
前記本体部の底面の中央部にコーヒーカプセルから吐出される飲用コーヒーを下方へ誘導する吐出孔と；
を有することを特徴とする、請求項４に記載のコーヒーカプセル用レセプタクル。
【請求項６】
前記ホルダー部の上端部が前記グリップ部の開口された上端部に互いに密着連結されるように、
前記ホルダー部は、
前記収容部の上部の延長部が外側に向かって側方に折り曲げ形成された第１段顎部と；
前記第１段顎部のエッジ部が二段に上向きに折り曲げられた後、外側に向かって側方に折り曲げられて形成された第２段顎部と；
を有することを特徴とする、請求項５に記載のコーヒーカプセル用レセプタクル。
【発明の詳細な説明】
【技術分野】
【０００１】
本発明は、コーヒーカプセルに加圧された高温の水を噴射して飲用コーヒーを作るコーヒーメーカーに具備された噴射部に脱着自在にコーヒーカプセルをホールドした状態で付着されるレセプタクルに関し、コーヒーカプセルを収容するホルダー部と前記ホルダー部を収容するグリップ部の構造を改良して様々な構造のコーヒーカプセルが収容可能なコーヒーカプセル用レセプタクルに関する。
【背景技術】
【０００２】
一般に、コーヒーメーカーは、コーヒーと水を混合して所望の濃度の飲用コーヒーを製造する。まず、通常の金属フィルタに所望量のコーヒー粉末をコーヒー容器からすくって手動で添加した後、加圧された高温の水を噴射して作る飲用コーヒーの製造形態を見てみると、高温の水にコーヒー粉末が溶けながら粒子の大きいものはフィルタによって濾過され、粒子が微細に溶けたコーヒーがフィルタを通して下方に落下して落下地点に位置するカップに積載される構造を有する。
【０００３】
コーヒーは、一度容器を開封すると、コーヒー特有の香りを長く保存することが難しいという問題点があるため、コーヒーを入れて密封した形態の専用の使い捨て型コーヒーカプセルをコーヒーメーカーに装着して使用する方式が最近流行している。
【先行技術文献】
【特許文献】
【０００４】
【特許文献１】大韓民国特許出願公開第２００９−０１２１３０４号明細書
【発明の概要】
【発明が解決しようとする課題】
【０００５】
しかし、カプセルの構造がコーヒーカプセルを生産する製造会社によって様々で、コーヒーカプセルごとにコーヒーメーカーとレセプタクルを個別に製造している。これにより消費者は、一つの会社のコーヒーメーカーを購入した後は、他の会社のコーヒーカプセルを使用することができなくなるという問題点がある。
【０００６】
そこで、本発明の目的は、コーヒーカプセルを内側に収容するホルダー部とグリップ部の構造を改良することで、様々な構造を有するコーヒーカプセルが収容可能なコーヒーカプセル用レセプタクルを提供することにある。
【課題を解決するための手段】
【０００７】
本発明のある観点によれば、コーヒーカプセルに高温の水を噴射する噴射部が具備されたコーヒーメーカーに適用されるコーヒーカプセル用レセプタクルにおいて、前記噴射部から高温の水が内側に噴射されるように前記噴射部に開口された上部が密着固定され前記コーヒーカプセルを内蔵するために前記コーヒーカプセルの外周面が内周壁に密着するように形成された収容部と、前記噴射部から前記コーヒーカプセルを経て混ぜられた飲用コーヒーが下方に排出されるように前記収容部の底面を貫通する通孔と、前記噴射部から流入した高温の水が前記コーヒーカプセルを経て混ぜられた飲用コーヒーをフィルタリングするために前記収容部の通孔と連通する形で前記収容部の底面に密着固定される第１フィルタ部と、前記第１フィルタ部の上面に密着した状態で固着され前記コーヒーカプセルの下端面を穿孔するための穿孔針が上向きに形成されたフィルタ支持部と、で構成されるホルダー部と、前記噴射部に前記ホルダー部の開口された上部が密着連結されるように前記ホルダー部を支持して固定するグリップ部と、を備える、コーヒーカプセル用レセプタクルが提供される。
【発明の効果】
【０００８】
本発明によるコーヒーカプセル用レセプタクルは、コーヒーカプセルを収容するホルダー部とこのホルダー部を収容するグリップ部の構造を改良して様々な構造を有するコーヒーカプセルが収容可能になるという有用な長所がある。
【図面の簡単な説明】
【０００９】
【図１】本発明の一実施形態によるコーヒーカプセル用レセプタクル及びコーヒーメーカーの全体構成を示す側面図である。
【図２】本発明の一実施形態のレセプタクルを示す側断面図である。
【図３】本発明の一実施形態のホルダー部のみを示す分離斜視図である。
【図４】本発明の一実施形態のホルダー部のみを示す側断面図である。
【図５】本発明の他の実施形態によるホルダー部を示す分離斜視図である。
【図６】本発明の他の実施形態によるホルダー部を示す側断面図である。
【発明を実施するための形態】
【００１０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１１】
図１から図３に示すように、本発明の一実施形態によるコーヒーカプセル用レセプタクルは、コーヒーパウダーが内側に込められたコーヒーカプセルに高温の水（飲用コーヒーの粉末が溶ける温度を有する水）を噴射して、飲用コーヒーを生成するために下方に高温の水を噴射する噴射部が具備されたコーヒーメーカーにおいて、収容部１１０と通孔１１１とで構成されるホルダー部１００と、グリップ部２００とを含んで構成される。ここで、収容部１１０は、コーヒーメーカーＭの噴射部Ｎから高温の水が内側に噴射されるように、コーヒーメーカーＭの噴射部Ｎに開口された上部が密着固定され、コーヒーカプセルＴを内蔵するためにコーヒーカプセルＴの外周面が内周壁に密着するように円筒状構造に形成される。また、通孔１１１は、コーヒーメーカーＭの噴射部ＮからコーヒーカプセルＴを経て混ぜられた飲用コーヒーが下方に排出されるように、収容部１１０の底面を貫通する。さらに、グリップ部２００は、コーヒーメーカーＭの噴射部Ｎにホルダー部１００の開口された上部が密着連結されるように、ホルダー部１００を支持・固定する。
【００１２】
使用者が、グリップ部２００の取っ手１０を掴んでハンドリングしてグリップ部２００の上端部がコーヒーメーカーＭの噴射部Ｎに密着した状態で回転させると、グリップ部２００の上端部の外周面に形成された複数個の突出リブ２２０がコーヒーメーカーＭに形成された継ぎ目のガイド溝（図示せず）に回転しながら脱着される。グリップ部２００は、外部に脱着する形態に限定されず、コーヒーメーカーＭ本体の内側に形成されて、コーヒーメーカーＭの内側に形成されたグリップ部２００にホルダー部１００が出入りする構造となるように形成されてもよい。
【００１３】
グリップ部２００の内側にホルダー部１００が固着され、このホルダー部１００の内側にコーヒーカプセルＴが順に固着された状態のレセプタクル１をコーヒーメーカーＭに対して回転させながら水密を維持するように連結すると、噴射部ＮはコーヒーカプセルＴの内部に加圧された高温の水を噴射できる状態になる。
【００１４】
コーヒーカプセルＴの内部に加圧された高温の水が噴射され、この加圧された高温の水とコーヒーカプセルＴの内部に収容されたコーヒーパウダーが混合された後、コーヒーカプセルＴの下方を通して混合された飲用コーヒーは、ホルダー部１００の通孔１１１とグリップ部２００の吐出孔２１０を通して下方に吐出される。このように吐出された飲用コーヒーは、コーヒーメーカーＭの底面に具備されたカップＣに落下して収容される。
【００１５】
図１から図３に示すように、ホルダー部１００は、第１フィルタ部１１５と、フィルタ支持リング１１３とをさらに具備する。ここで、第１フィルタ部１１５は、コーヒーメーカーＭの噴射部Ｎから流入した高温の水がコーヒーカプセルＴを経て混ぜられた飲用コーヒーをフィルタリングするために、収容部１１０の通孔１１１と連通する形で収容部１１０の底面に密着固定される。また、フィルタ支持リング１１３は、第１フィルタ部１１５の上面に密着した状態で固着され、このフィルタ支持リング１１３には、コーヒーカプセルＴの下端面を穿孔するための穿孔針１１３ａが上向きに形成される。
【００１６】
レセプタクル１がコーヒーメーカーＭの下方から回転しながら連結される場合、ホルダー部１００の本体である収容部１１０の下部に配置形成された穿孔針１１３ａは、収容部１１０の内側に挿入されたコーヒーカプセルＴの下端面の所定部分を穿孔することによって、コーヒーカプセルＴの内側で混ぜられた飲用コーヒーが穿孔針１１３ａにより穿孔された穴に吐出されて、ホルダー部１００の通孔１１１及びグリップ部２００の吐出孔２１０を順に通過しながら下方に落下する。
【００１７】
図３に示すように、穿孔針１１３ａによってコーヒーカプセルＴから吐出される飲用コーヒーが通るように、フィルタ支持リング１１３には、上下方を貫通する切開孔１１３ｂが形成される。
【００１８】
図４に示すように、収容部１１０は、円筒状に形成されるが、下に向かって直径が小さくなるテーパー状に形成され得る。これは、コーヒーカプセルＴの形態を反映したものであり、コーヒーカプセルＴの外周面と収容部１１０の内周壁が互いに堅固に密着する場合、コーヒーカプセルＴの内部に噴射された高温の水が效率的に円滑に混ぜられ得るためである。
【００１９】
収容部１１０の中央部に形成された通孔１１１から所定距離に対応する収容部１１０には、ドーナッツ状の下向き折り曲げ部１１２が形成され、この下向き折り曲げ部１１２は、断面が半月状をなし、第１フィルタ部１１５の下面部は、下向き折り曲げ部１１２の形態に対応して互いに密着するように配置される。
【００２０】
第１フィルタ部１１５が収容部１１０の下端面に形成された下向き折り曲げ部１１２に密着するように配置することで、第１フィルタ部１１５が、収容部１１０の底面に対して微細ながらも側方にスリップする現象を防止し、第１フィルタ部１１５と収容部１１０の通孔１１１に対するセンターリング（ｃｅｎｔｅｒｉｎｇ）が維持されて、第１フィルタ部１１５を通して飲用コーヒーがフィルタリングされた後、収容部１００の通孔１１１を通して円滑に吐出される。
【００２１】
図１及び図２に示すように、グリップ部２００は、ホルダー部１００が上方から内側に出入り可能に上部が開口された円筒状の本体部と、噴射部Ｎの隣接部位に形成されたコーヒーメーカーＭの継ぎ目に下方から回転しながら脱着されるように本体部の開口された上部の外周面に形成された複数個の突出リブ２２０と、本体部の底面の中央部にコーヒーカプセルＴから吐出される飲用コーヒーを下方へ誘導する吐出孔２１０と、を含んで構成される。
【００２２】
図２から図４に示すように、ホルダー部１００は、収容部１１０の上部の延長部が外側に向かって側方に折り曲げ形成された第１段顎部１２０と、第１段顎部１２０のエッジ部が二段に上向き折り曲げられた後、外側に向かって側方に折り曲げ形成された第２段顎部１３０と、を含んで構成される。これにより、ホルダー部１００の上端部が、グリップ部２００の開口された上端部に互いに密着連結されるようにすることができる。
【００２３】
ホルダー部１００は、上部が二段に折り曲げられて、第１段顎部１２０と第２段顎部１３０とで構成されるが、これにより、グリップ部２００の内径をホルダー部１００の内径より十分大きく形成することができ、コーヒーカプセルＴが収容されるホルダー部１００の本体である収容部１１０の内径を互換性のあるように調節できるようになる。
【００２４】
この場合、収容部１１０の内径をグリップ部２００の内径より相対的に小さく形成した状態でグリップ部２００に対して簡単に脱着が可能な形態のホルダー部１００を形成するために、収容部１１０の延長線上にあるホルダー部１００の上端部に二段に折り曲げられた第１段顎部１２０と第２段顎部１３０とを形成するようにする。第２段顎部１３０がグリップ部２００の開口された上端部に固着された形態で、脱着自在に連結固定される。
【００２５】
図５及び図６は、本発明の他の実施形態によるホルダー部を示す分離斜視図及び側断面図である。切開孔１１３ｂに対応するフィルタ支持リング１１３の下部には、飲用コーヒーに混入している異物を一次的に濾過できるように、網形状の第２フィルタ部１１４が形成されることが好ましい。
【００２６】
穿孔針１１３ａによってコーヒーカプセルＴの下端部に穿孔された穴に吐出される混合された飲用コーヒーは、収容部１１０の下部に固定配置された第２フィルタ部１１４を通して一次的にフィルタリングされた後、第１フィルタ部１１５を通してこの第１フィルタ部１１５と連通されるホルダー部２００の通孔１１１に連通される構造をなす。
【００２７】
このような配置構造によって、コーヒーカプセルＴから吐出される飲用コーヒーが第１フィルタ部１１５に到達する前に、一次的に飲用コーヒーに混入している異物が濾過されることによって、第１フィルタ部１１５によってフィルタリングされる量が少なくなる。これによって、第１フィルタ部１１５の使用期間、すなわち、耐久性が向上する。好ましくは、網形状の第２フィルタ部１１４は、第１フィルタ部１１５に比べて相対的に粒子の大きい異物を濾過するものであり、この場合、第２フィルタ部１１４のクリーニングは簡便となる。ホルダー部１００の内側に内蔵されたコーヒーカプセルＴを取り出した後、ホルダー部１００を所定の容器に入った水に入れて揺さぶると、第２フィルタ部１１４に沈着していた異物は容易に落ちるようになる。
【００２８】
収容部１１０は、上下部の直径が同じ円筒状に形成され得る。これは、円筒状に形成されるが、比較的に収容部１１０の内径より十分大きく形成されたグリップ部２００の内径に対して、収容部１１０の形態及び内径を互換性のあるように変形できることを意味し、コーヒーカプセルＴの形態に互換性のあるように対応するためである。
【００２９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００３０】
１：レセプタクル
１０：取っ手
１００：ホルダー部
１１０：収容部
１１１：通孔
１１２：下向き折り曲げ部
１１３：フィルタ支持部（支持リング）
１１３ａ：穿孔針
１１３ｂ：切開孔
１１４：第１フィルタ部
１１５：第２フィルタ部
１２０：第１段顎部
１３０：第２段顎部
２００：グリップ部
２１０：吐出孔
２２０：突出リブ
Ｔ：コーヒーカプセル
Ｍ：コーヒーメーカー
Ｎ：噴射部
Ｃ：カップ
【図１】
2012005818.tif 000003
【図２】
2012005818.tif 000004
【図３】
2012005818.tif 000005
【図４】
2012005818.tif 000006
【図５】
2012005818.tif 000007
【図６】
2012005818.tif 000008